(57)【要約】      （修正有）【課題】所定の機能を満たし低コストでかつＥＭＩ評価などの開発工数を低減することができる基板組立体及びこれを備えた画像形成装置を提供すること【解決手段】画像形成装置の各機能部を制御する制御部１０は、制御基板１１、画像処理基板１２を備え、制御基板１１及び画像処理基板１２をコネクタ２１，２２で接続し平板状基板とする。マザーボード１３はコネクタ２４をコネクタ２１に接続し制御基板１１に物理的電気的に接続し、ファックス基板１４はファックス基板１４のコネクタ２７をコネクタ２６に接続し、ネットワーク基板１５はコネクタ２８をコネクタ２５に接続する。 【選択図】図２
2006185929.tif 000002
【特許請求の範囲】
【請求項１】
装置の一の制御をする第１制御部を搭載した第１基板と、
前記第１基板に物理的に接続可能であり、接続状態で全体平板状の平板状基板を構成し、装置の他の制御を行う第２基板と、
前記接続状態の平板状基板に物理的に接続可能であり、１又は複数のアプリケーション基板を接続できる増設基板とからなり、
前記第１基板と、第２基板とには第１基板と、第２基板とを直接物理的に接続する第１接続手段を備え、
前記平板状基板と、増設基板とには前記平板状基板と、増設基板とを物理的に接続する第２接続手段を備えたことを特徴とする基板組立体。
【請求項２】
第１基板と第２基板の接続手段は各基板に設けられた着脱可能なコネクタであり、第１基板と第２基板とは、該コネクタにより同一平面上で接続されていることを特徴とする請求項１の基板組立体。
【請求項３】
前記平板状基板と増設基板との接続手段は着脱可能なコネクタであり、前記増設基板は平板状基板に対して直角に接続されていることを特徴とする請求項１又は２の基板組立体。
【請求項４】
１つの基板ケース内に収納されたことを特徴とする請求項１ないし３のいずれかの基板組立体。
【請求項５】
請求項１ないし４の基板組立体を備えたことを特徴とする画像形成装置。
【請求項６】
前記第１基板には装置の各機能部の動作を制御する制御手段が搭載され、前記第２基板には画像情報に画像処理する画像処理手段が搭載され、前記増設基板にはネットワーク基板及びファックス基板の少なくとも１つが接続されていることを特徴とする請求項５の画像形成装置。
【請求項７】
電子写真方式を用いたことを特徴とする請求項５または６の画像形成装置。
【発明の詳細な説明】
【技術分野】
【０００１】
本発明は、基板組立体及び画像形成装置に係り、特に機能に応じた必要最小限のコストで増設基板を設けることができる基板組立体及び画像形成装置に関する。
【背景技術】
【０００２】
プリンタ等の画像形成装置においては、オプションとしてネットワーク基板やファックス基板を増設することができるものがある。このような画像形成装置では、図３（ａ）に示すように、制御部３０は各機能部を制御するプリント基板を組みたてて作成する。本例では、各機能部を制御する基板として、制御基板３１、画像処理基板３２を有する。この制御基板及び画像処理基板を設けることにより、画像形成装置は、基本的な機能を具備することとなる。
【０００３】
また、上記基本的機能に加えてネットワーク接続、ファックス通信を行える用にするためには、上記構成に加えてファックス基板３４やネットワーク基板３５を上記２つの基板３１，３２に接続する必要がある。
【０００４】
そのため、前記制御基板３１と画像処理基板３２とを組みたてる際増設基板であるマザーボード３３を前記制御基板３１、画像処理基板３２に対して略垂直に立設し、このマザーボード３３に前記ファックス基板３４やネットワーク基板３５を取り付けるようにしている。
【０００５】
ここで、図３（ａ）に示すように制御基板３１にはコネクタ４１、画像処理基板３２にはコネクタ４２、マザーボード３３にはコネクタ４３，５４，４５，４６が設けられており、制御基板３１と画像処理基板３２とは、コネクタ４１をコネクタ４３に接続し、コネクタ４２をコネクタ４３に接続することにより、物理的電気的に接続するようにしていた。
【０００６】
そしてこの状態では、図３（ｃ）に示すようにマザーボード３３は制御基板３１、画像処理基板３２に対して略垂直に立設された状態となりファックス基板３４のコネクタ４７をマザーボード３３のコネクタ４５に、ネットワーク基板３５のコネクタ４８をマザーボード３３のコネクタ４６に接続するようにして、マザーボード３３にファックス基板３４及びネットワーク基板３５を接続するものとしている。
【０００７】
この状態において、制御部３０Ａは、基本的機能と、ネットワーク機能と、ファックス機能を備えることとなる。
【発明の開示】
【発明が解決しようとする課題】
【０００８】
このような従来の画像形成装置においては、ファックス機能やネットワーク機能を必要としない基本的な構成の制御部３０Ｂを備えた画像形成装置であっても制御基板３１と画像処理基板３２とを電気的に接続するためにマザーボード３３を組み付ける必要があり、コストが嵩む。一方、製造コストを低減するためマザーボード３３を介さずに制御基板３１と画像処理基板３２とを接続できるようにすると、マザーボード３３の有無により涼気番の接続関係が異ってしまうため、それぞれの条件においてＥＭＩ評価を行わなければならず、開発工数が増大してしまう。
【０００９】
そこで本発明は、所定の機能を満たし低コストでかつＥＭＩ評価などの開発工数を低減することができる基板組立体及びこれを備えた画像形成装置を提供することを目的とする。
【課題を解決するための手段】
【００１０】
請求項１の発明は、装置の一の制御をする第１制御部を搭載した第１基板と、前記第１基板に物理的に接続可能であり、接続状態で全体平板状の平板状基板を構成し、装置の他の制御を行う第２基板と、前記接続状態の平板状基板に物理的に接続可能であり、１又は複数のアプリケーション基板を接続できる増設基板とからなり、前記第１基板と、第２基板とには第１基板と、第２基板とを直接物理的に接続する第１接続手段を備え、前記平板状基板と、増設基板とには前記平板状基板と、増設基板とを物理的に接続する第２接続手段を備えたことを特徴とする基板組立体である。
【００１１】
請求項２の発明は、請求項１の基板組立体において、第１基板と第２基板の接続手段は各基板に設けられた着脱可能なコネクタであり、第１基板と第２基板とは、該コネクタにより同一平面上で接続されていることを特徴とする。
【００１２】
請求項３の発明は、請求項１または２の基板組立体において、前記平板状基板と増設基板との接続手段は着脱可能なコネクタであり、前記増設基板は平板状基板に対して直角に接続されている。
【００１３】
請求項４の発明は、請求項１ないし３のいずれかの基板組立体において、１つの基板ケース内に収納されたことを特徴とする。
【００１４】
請求項５の発明は、請求項１ないし４の基板組立体を備えたことを特徴とする画像形成装置である。
【００１５】
請求項６の発明は、請求項５の画像形成装置において、前記第１基板には装置の各機能部の動作を制御する制御手段が搭載され、前記第２基板には画像情報に画像処理する画像処理手段が搭載され、前記増設基板にはネットワーク基板及びファックス基板の少なくとも１つが接続されていることを特徴とする。
【００１６】
請求項７の発明は、請求項５または６の画像形成装置において、電子写真方式を用いたことを特徴とする。
【発明の効果】
【００１７】
本発明に係る基板組立体及びこれを備えた画像形成装置は、所定の異なる機能を満たす装置を低コストでかつＥＭＩ評価などの開発工数を低減して製造することができるという効果がある。
【発明を実施するための最良の形態】
【００１８】
以下本発明を実施するための最良の形態としての実施例を図面に基づいて説明する。
【実施例】
【００１９】
図１は本発明に係る一実施例に係る画像形成装置の制御部を示す図である。本例の画像形成装置においては、オプションとしてネットワーク基板やファックス基板を増設することができる。制御部１０は各機能を制御するプリント基板を組みたてて作成する。本例では、各機能部を制御する基板として、制御基板１１、画像処理基板１２を備える。この制御基板１１及び画像処理基板１２を設けることにより、画像形成装置は、基本的な機能を具備することとなる。制御基板１１は基板ラック５５にネジ止め固定される。また、画像処理基板１２は基板ラック５５にスライドさせて１１と組み付けられ制御基板１１と接続され平板状の基板となる。本例では画像処理基板１２には、コントローラ６１，ハードディスクドライブ６２，増設のネットワーク基板６３が取り付けられている。なお、この例では、ネットワーク基板６３は画像処理基板１２に直接取り付けられる構成となっている。なお、図中５４は制御部１０を覆うカバーを示している。
【００２０】
本例では、図２（ａ）に示すように制御基板１１にはコネクタ２１が設けられ、また画像処理基板１２にはコネクタ２２が設けられ、これらのコネクタ２１，２２を接続することにより、制御基板１１及び画像処理基板１２は物理的、電気的に接続できる。この状態において、制御部１０Ｂは基本的な性能を備えることとなる。即ち、本例ではマザーボード１３（破線で示した）を使用することなく１０Ｂを構成できる。
【００２１】
また、本例では、上記基本的機能に加えてネットワーク接続、ファックス通信を行える用にするためには、上記構成に加えてファックス基板１４ともう１つのネットワーク基板１５を２つの基板１１，１２に接続することができる。
【００２２】
そのため、前記制御基板１１と画像処理基板１２とを組立て、平板状となった基板に増設基板であるマザーボード１３を前記制御基板１１、画像処理基板１２に対して略垂直に立設し、このマザーボード１３に前記ファックス基板１４、ネットワーク基板１５を取り付けるようにしている。また、この例では、ファックス基板３４には、ファックスのオプション基板５１，５２，５３が取り付けられている。
【００２３】
図２（ａ）に示すように制御基板１１には上記コネクタ２２のほかにコネクタ２１が設けられている。そして、マザーボード１３にはコネクタ２４，２５，２６が設けられている。そして、制御基板１１とマザーボード１３とは、コネクタ２４をコネクタ２１に接続し物理的電気的に接続する。
【００２４】
そして、図２（ｃ）に示すようにマザーボード１３は制御基板１１、画像処理基板１２に対して略垂直に立設された状態となり、ファックス基板１４のコネクタ２７をマザーボード３３のコネクタ２６に接続しマザーボード１３にファックス基板１４を、ネットワーク基板１５のコネクタ２８をマザーボード１３のコネクタ２５に接続してマザーボード１３にネットワーク基板３５を接続する。これにより、制御部１０Ａには、基本的機能の他、ファックス機能及びネットワーク機能が付加された状態となる。
【００２５】
本例によれば、ファックス機能やネットワーク機能を必要としない基本的な構成の制御部３０Ｂを備えた画像形成装置であればマザーボードを組み付ける必要がなくなり、コストが嵩む。一方、マザーボードの有無により量基板の接続関係が異なることがなく、ＥＭＩ評価を同一条件で行うことができ、開発工数を少なくすることができる。
【図面の簡単な説明】
【００２６】
【図１】本発明の実施例に係る画像形成装置の制御部の基板組立体を示す斜視図である
【図２】本発明の実施例に係る基板組立体の構成を示す図であり、（ａ）は分解図、（ｂ）は増設基板を取り付けた状態を示す図、（ｃ）は基本状態を示す図である。
【図３】従来の基板組立体の構成を示す図であり、（ａ）は分解図、（ｂ）は増設基板を取り付けた状態を示す図、（ｃ）は基本状態を示す図である。
【符号の説明】
【００２７】
１０  制御装置
１１  制御基板
１２  画像処理基板
１３  マザーボード
１４  ファックス基板
１５  ネットワーク基板
２１  コネクタ
２２  コネクタ
２３  コネクタ
２４  コネクタ
２５  コネクタ
２６  コネクタ
２７  コネクタ
２８  コネクタ
【図１】
2006185929.tif 000003
【図２】
2006185929.tif 000004
【図３】
2006185929.tif 000005